Podtech/llm-jp-corpus-v4-ja_patent huggingface dataset:
【手続補正書】
【提出日】平成18年2月15日(2006.2.15)
【手続補正１】
【補正対象書類名】特許請求の範囲
【補正対象項目名】全文
【補正方法】変更
【補正の内容】
【特許請求の範囲】
【請求項１】
［図５］に示す，  袋に米を入れ，密度を高める，水に侵し，袋を揉み圧力を加えると米と米の摩擦で付着している目には見えない皮膜や不純物が分解され奇麗な米となる補助具，長方形ストレート状の袋［図１］符号２に示す，底部の角となる部分は米粒が滞り，出し入れや循環が悪くなる為に角を取り除いた事を特徴とする。
【手続補正３】
【補正対象書類名】明細書
【補正対象項目名】全文
【補正方法】変更
【補正の内容】
【発明の詳細な説明】
【発明の名称】お米の洗い袋
【技術分野】
【０００１】          日本国民の主食，炊飯前にお米を洗う（袋）補助具
【背景技術】
【０００２】
【特許文献１】特開２００５−１３０９７４
【特許文献２】実開昭６２−１８９０３７
【特許文献３】実開平６−３８８３５
【発明の開始】
【発明が解決しようとする課題】
【０００３】おいしいご飯を炊く為に，お米を奇麗に洗う事を研究
【０００４】          お米を均等に洗う為にエネルギーの配分と使い易さを重視考える。
【課題を解決するための手段】
【０００５】          古来から引き継がれて来たお米の洗い方（米を水と混合し手でかき回し，濯ぎ洗い）をするのですが，奇麗に洗う事は簡単そうに見えてなか丶丶難しい。そこでイメーシを変え  洗い方になにか良い方法はないかと考え［図１］［図２］の袋を作りました。
【０００６】［図３］に示す，袋に米を入れ［図４］［図５］上部をコードストッパーで締める  桶に水を少し入れ，袋を入れ水に侵し揉み洗いした結果．密度を高めた袋の効果と中の米の循環と摩擦の力で［図６］［図７］に示す通り桶の中は１〜２分で真っ白な水に変わった。
【０００７】濯ぎに関しはザル洗いに変わる物メッシュ袋を利用して濯ぎ洗いのテストを致しました。効果抜群［図８］に示す通り，水に侵し下から上に煽り揺すると中の米が圧迫しメッシュ穴から不純物等が吐き出され奇麗になり驚異の時間の短縮と水の節約・水捌けの良さを感じ取る事が出来た。
【０００８】奇麗になったお米をお釜に移す［図９］に示す。［図１］符号２に示すお米の滞りを省く。
【０００９】［図１０］お米が奇麗になっている事を示す。
【００１０】メッシュ布地をバイアステープで製縫した袋
【発明の効果】
【００１１】          お米にやさしく斑なく均等に洗う事が出来洗い方が簡単になった。
【発明を実施するための最良の形態】
【００１２】          若い女性をターゲットに宣伝すると共に流通機関のお米に添付販売
【実施例】
【００１３】          お米を簡単に斑なく奇麗に洗えると言うキャチフレーズで宣伝する。
【産業上の利用可能性】
【００１４】          お米は日本国民の主食であり，衛生的で容易にお米が洗える事を世間に知らせる事が一番大切なことで庶民の通うスーパーの店頭等で実技宣伝をして行く。【００１５】実用性が高く生活必需品で需要性が大きく消耗品で商品も安く大量生産が可能
【図面の簡単な説明】
【００１６】
【図１】袋の平面図。
【図２】袋。
【図３】袋にお米を入れる。
【図４】袋にお米を入れ口をコードストッパーで封じた状態。
【図５】袋にお米を入れ口をコードストッパーで封じた状態。
【図６】お米のとぎ汁を表す。
【図７】お米のとぎ汁を表す。
【図８】お米の入った袋を水に晒す。（濯ぎ）
【図９】お米を移し変える。
【図１０】水に濁りが無い，お米を釜にセットした状態
【図１１】袋は出来る限り干して使う。
【符号の説明】
【００１７】          符号  （１）は，  手洗いの袋          符号  （２）は，  隅，角を丸く          符号  （３）は，コードストッパーの付いた紐
【手続補正４】
【補正対象書類名】図面
【補正対象項目名】全図
【補正方法】変更
【補正の内容】
【図１】
2006102448.tif 000001
【図２】
2006102448.tif 000002
【図３】
2006102448.tif 000003
【図４】
2006102448.tif 000004
【図５】
2006102448.tif 000005
【図６】
2006102448.tif 000006
【図７】
2006102448.tif 000007
【図８】
2006102448.tif 000008
【図９】
2006102448.tif 000009
【図１０】
2006102448.tif 000010
【図１１】
2006102448.tif 000011
【手続補正書】
【提出日】平成18年9月21日(2006.9.21)
【手続補正１】
【補正対象書類名】特許請求の範囲
【補正対象項目名】全文
【補正方法】変更
【補正の内容】
【特許請求の範囲】
【請求項１】
親水性を有する長繊維のウエブを含む吸収体を具備する吸収性物品であって、該長繊維は２０〜９０％の捲縮率を有し且つ吸収体の平面方向に配向しており、該ウエブ中に高吸収性ポリマーが埋没担持されている吸収性物品。
【請求項２】
高吸収性ポリマーは、前記ウエブ中に均一に埋没担持されている請求項１記載の吸収性物品。
【請求項３】
高吸収性ポリマーは、前記ウエブ中において、該ウエブの肌対向面側に偏倚して埋没担持されている請求項１記載の吸収性物品。
【請求項４】
高吸収性ポリマーは、前記ウエブ中において、該ウエブの肌非対向面側に偏倚して埋没担持されている請求項１記載の吸収性物品。
【請求項５】
前記高吸収性ポリマーの坪量が、前記長繊維のウエブの坪量以上である請求項１ないし４の何れかに記載の吸収性物品。
【請求項６】
前記吸収体が、複数の前記ウエブと、該ウエブ間に散布された高吸収性ポリマーの層とを含み、該高吸収性ポリマーの一部が該ウエブ中に埋没担持されている請求項１ないし５の何れかに記載の吸収性物品。
【請求項７】
重なり合う前記ウエブどうしが散点状に接着されている請求項６記載の吸収性物品。
【請求項８】
複数の前記ウエブの少なくとも一層における一部分の前記長繊維が引き伸ばされた状態になっている請求項６又は７記載の吸収性物品。
【請求項９】
捲縮を有さない、親水性を有する長繊維のウエブを更に備える請求項１ないし８の何れかに記載の吸収性物品。
【請求項１０】
前記吸収体が、フラッフパルプの積繊層上に前記ウエブを重ねた構造を有している請求項１ないし５の何れかに記載の吸収性物品。
【請求項１１】
前記吸収体が、フラッフパルプの積繊層上に前記ウエブを重ねてなる積層体を複数積層した構造を有している請求項１０記載の吸収性物品。
【請求項１２】
前記フラッフパルプの積繊層が更に高吸収性ポリマーを含む請求項１０又は１１記載の吸収性物品。
【請求項１３】
前記長繊維が吸収性物品の長手方向に配向しており、前記吸収体が、前記長繊維の配向方向を横切るような線状の接着ラインを有していないか、又は
前記長繊維が吸収性物品の幅方向に配向しており、前記吸収体が、前記長繊維の配向方向を横切るような線状の接着ラインを有している請求項１ないし１２の何れかに記載の吸収性物品。
【請求項１４】
前記長繊維が連続フィラメントからなる請求項１ないし１３の何れかに記載の吸収性物品。
【請求項１５】
前記高吸収性ポリマーが粒子状のものである請求項１ないし１４の何れかに記載の吸収性物品。
【請求項１６】
前記ウエブが、該ウエブの原反に張力を加えて長手方向に引き伸ばして開繊させ、開繊した該ウエブの張力を緩めた状態で、該ウエブに前記高吸収性ポリマーを供給し、次いで該ウエブの引き伸ばし状態を解除して得られたものである請求項１ないし１５の何れかに記載の吸収性物品。
【請求項１７】
２０〜９０％の捲縮率を有する、親水性を有する長繊維の複数のウエブと、該ウエブ間に散布された高吸収性ポリマーの層とを備え、該高吸収性ポリマーの一部が前記ウエブ中に埋没担持されており、また前記ウエブどうしが散点状に接着されている吸収体。
【請求項１８】
捲縮を有する長繊維からなるウエブ中に高吸収性ポリマーを含んでいる吸収体の製造方法であって、
前記ウエブの原反に張力を加えて長手方向に引き伸ばした状態で開繊する工程と、開繊した該ウエブの張力を緩めた状態で、該ウエブに前記高吸収性ポリマーを供給する工程とを含む吸収体の製造方法。
【手続補正書】
【提出日】平成18年8月25日(2006.8.25)
【手続補正１】
【補正対象書類名】特許請求の範囲
【補正対象項目名】請求項１
【補正方法】変更
【補正の内容】
【請求項１】
遊技領域(27)の下部に複数個の入賞口(29)を有する入賞口手段(22)を備え、遊技球の検出を条件に誘導図柄(23a) 〜(23c) を変動表示可能な誘導図柄表示手段(23)と、該誘導図柄表示手段(23)の変動後の誘導図柄(23a) 〜(23c) が特別態様で停止した場合に遊技者に有利な特別遊技状態を発生させる特別遊技状態発生手段(102) とを備え、前記遊技領域(27)に１ゲーム毎に所定数の遊技球を打ち込みながら、所定の休止期間をおいて繰り返しゲームを行うようにした組み合わせ遊技機において、前記所定数の遊技球の打ち込みにより成立するゲーム終了条件の成立時点から所定時間(T) が経過したときに当該ゲームを終了させる機能と、前記所定時間(T) 内に前記誘導図柄(23a) 〜(23c) が停止しない場合に、該誘導図柄(23a) 〜(23c) の停止後にゲームを終了させる機能とを有するゲーム制御手段(99)を備えたことを特徴とする組み合わせ遊技機。
【手続補正２】
【補正対象書類名】明細書
【補正対象項目名】０００８
【補正方法】変更
【補正の内容】
【０００８】
本発明は、遊技領域２７の下部に複数個の入賞口２９を有する入賞口手段２２を備え、遊技球の検出を条件に誘導図柄２３ａ〜２３ｃを変動表示可能な誘導図柄表示手段２３と、該誘導図柄表示手段２３の変動後の誘導図柄２３ａ〜２３ｃが特別態様で停止した場合に遊技者に有利な特別遊技状態を発生させる特別遊技状態発生手段１０２とを備え、前記遊技領域２７に１ゲーム毎に所定数の遊技球を打ち込みながら、所定の休止期間をおいて繰り返しゲームを行うようにした組み合わせ遊技機において、前記所定数の遊技球の打ち込みにより成立するゲーム終了条件の成立時点から所定時間Ｔが経過したときに当該ゲームを終了させる機能と、前記所定時間Ｔ内に前記誘導図柄２３ａ〜２３ｃが停止しない場合に、該誘導図柄２３ａ〜２３ｃの停止後にゲームを終了させる機能とを有するゲーム制御手段９９を備えたものである。
【手続補正３】
【補正対象書類名】明細書
【補正対象項目名】０００９
【補正方法】変更
【補正の内容】
【０００９】
本発明では、遊技領域２７の下部に複数個の入賞口２９を有する入賞口手段２２を備え、遊技球の検出を条件に誘導図柄２３ａ〜２３ｃを変動表示可能な誘導図柄表示手段２３と、該誘導図柄表示手段２３の変動後の誘導図柄２３ａ〜２３ｃが特別態様で停止した場合に遊技者に有利な特別遊技状態を発生させる特別遊技状態発生手段１０２とを備え、遊技領域２７に１ゲーム毎に所定数の遊技球を打ち込みながら、所定の休止期間をおいて繰り返しゲームを行うようにした組み合わせ遊技機において、所定数の遊技球の打ち込みにより成立するゲーム終了条件の成立時点から所定時間Ｔが経過したときに当該ゲームを終了させる機能と、所定時間Ｔ内に誘導図柄２３ａ〜２３ｃが停止しない場合に、該誘導図柄２３ａ〜２３ｃの停止後にゲームを終了させる機能とを有するゲーム制御手段９９を備えているので、遊技状態に応じたゲーム時間を確保でき、例えば誘導図柄２３ａ〜２３ｃの変動パターン、取り分けそのリーチ変動の演出等によって遊技者の興趣を喚起させることが可能である。
【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
ゲーム用電子回路基板を収容した基板ケースを施錠装置付きの固定具を介してその解錠時にのみ取外し可能に遊技機に取付ける遊技機の基板ケ−ス施錠構造において、
前記施錠装置の施錠部を覆うカバー部材とこのカバー部材の開封を封印する封印部材とが一体に成形された施錠部防護具を備え、
前記封印部材は、可撓性のある合成樹脂から成り、前記カバー部材を前記固定具に連結させるベース部と、このベース部から延出した先端部が前記固定具に連結される封印部とが一体に成形され、前記封印部は、前記固定具の被連結箇所に設けられた連結穴に弾性変形して挿入され、かつ、連結穴から引抜き不能に弾性復帰する封印ヘッドと、この封印ヘッドを前記先端部に引き千切り可能に連結する引き千切り部とが一体に成形されていることを特徴とする遊技機の基板ケース施錠構造。
【請求項２】
前記封印部は複数備えられていることを特徴とする請求項１に記載の遊技機の基板ケース施錠構造。
【請求項３】
前記カバー部材は、前記固定具の天部を覆う係止部と、この係止部に設けられて前記固定具の天部側に突出する突部とが一体に成形され、前記固定具は、天部に切り欠きが形成され、前記カバー部材が前記固定具に連結される際に前記突部が前記切り欠きに嵌合することを特徴とする請求項１または請求項２に記載の遊技機の基板ケース施錠構造。
【手続補正２】
【補正対象書類名】明細書
【補正対象項目名】０００７
【補正方法】変更
【補正の内容】
【０００７】
前記の課題を解決するため、本発明に係る遊技機の基板ケース施錠構造は、ゲーム用電子回路基板を収容した基板ケースを施錠装置付きの固定具を介してその解錠時にのみ取外し可能に遊技機に取付ける遊技機の基板ケ−ス施錠構造において、施錠装置の施錠部を覆うカバー部材とこのカバー部材の開封を封印する封印部材とが一体に成形された施錠部防護具を備え、封印部材は、可撓性のある合成樹脂から成り、カバー部材を固定具に連結させるベース部と、このベース部から延出した先端部が固定具に連結される封印部とが一体に成形され、封印部は、固定具の被連結箇所に設けられた連結穴に弾性変形して挿入され、かつ、連結穴から引抜き不能に弾性復帰する封印ヘッドと、この封印ヘッドを先端部に引き千切り可能に連結する引き千切り部とが一体に成形されていることを特徴とする。また、本発明に係る遊技機の基板ケース施錠構造は、封印部が複数備えられていることを特徴とする。また、本発明に係る遊技機の基板ケース施錠構造は、カバー部材が、固定具の天部を覆う係止部と、この係止部に設けられて固定具の天部側に突出する突部とが一体に成形され、固定具が、天部に切り欠きが形成され、カバー部材が固定具に連結される際に突部が切り欠きに嵌合することを特徴とする。
【手続補正３】
【補正対象書類名】明細書
【補正対象項目名】０００９
【補正方法】変更
【補正の内容】
【０００９】
また、封印部材に、カバー部材を固定具に連結させるベース部と、このベース部から延出した先端部が固定具に連結される封印部とが一体に成形されているので、この封印部が複数備えられている構成では、基板ケースに収容されたゲーム用電子回路基板の確認検査が複数回に亘って行われる場合の取扱い性が向上する。
【手続補正４】
【補正対象書類名】明細書
【補正対象項目名】００１２
【補正方法】変更
【補正の内容】
【００１２】
また、本発明の遊技機の基板ケース施錠構造において、施錠部防護具の封印部材に、カバー部材を固定具に連結させるベース部と、このベース部から延出した先端部が固定具に連結される封印部とが一体に成形されているので、この封印部が複数備えられている構成では、基板ケースに収容されたゲーム用電子回路基板の確認検査が複数回に亘って行われる場合の取扱い性を向上させることができる。
【手続補正書】
【提出日】平成18年8月28日(2006.8.28)
【手続補正１】
【補正対象書類名】明細書
【補正対象項目名】００１２
【補正方法】変更
【補正の内容】
【００１２】
【数１】
2002369597.tif 000001
但し、  Ｖd ：一次電圧（ｄ軸）          Ｖq ：一次電圧（ｑ軸）
Ｉd ：一次電流（ｄ軸）          Ｉq ：一次電流（ｑ軸）
φ2d：二次磁束（ｄ軸）          φ2q：二次磁束（ｑ軸）                            Ｒ1 ：一次抵抗                  Ｒ2 ：二次抵抗
Ｌσ：漏れインダクタンス        Ｌｍ：励磁インダクタンス
ω1 ：一次周波数                ω2 ：回転速度
ωS ：滑り周波数（ωS ＝ω1 −ω2 ）
この数式１で表される特性方程式の近似解は、−（Ｒ2 ／Ｌｍ）＋ｊω2 とな
る。従ってω2 を周波数成分として含んでいる電圧を印加すると、電流波形はこ
のω2 で振動する。よって検出した一次電流Ｉd またはＩq が零となるように座
標軸を回転させれば、その回転周期から誘導電動機の回転速度情報を得ることが
できる。
【手続補正書】
【提出日】平成18年6月14日(2006.6.14)
【手続補正１】
【補正対象書類名】明細書
【補正対象項目名】特許請求の範囲
【補正方法】変更
【補正の内容】
【特許請求の範囲】
【請求項１】  遊技盤に、１個又は複数個の図柄を表示する図柄表示手段と、遊技球を検出することを条件に前記図柄表示手段の図柄を所定時間変動させる図柄始動手段とを備え、前記図柄表示手段の変動後の停止図柄の結果により、遊技者に有利となる特別遊技状態を発生させる特別遊技制御手段と、動作状態の異常を検出する異常検出手段とを備えた弾球遊技機において、前記異常検出手段が異常を検出したときに、前記特別遊技制御手段が正常に動作中の場合に、該特別遊技制御手段の動作の終了を待ってその後に新たに動作しないように停止させる異常停止制御手段を備えたことを特徴とする弾球遊技機。
【手続補正２】
【補正対象書類名】明細書
【補正対象項目名】０００９
【補正方法】変更
【補正の内容】
【０００９】
【課題を解決するための手段】
本発明は、遊技盤に、１個又は複数個の図柄を表示する図柄表示手段と、遊技球を検出することを条件に前記図柄表示手段の図柄を所定時間変動させる図柄始動手段とを備え、前記図柄表示手段の変動後の停止図柄の結果により、遊技者に有利となる特別遊技状態を発生させる特別遊技制御手段と、動作状態の異常を検出する異常検出手段とを備えた弾球遊技機において、前記異常検出手段が異常を検出したときに、前記特別遊技制御手段が正常に動作中の場合に、該特別遊技制御手段の動作の終了を待ってその後に新たに動作しないように停止させる異常停止制御手段を備えたものである。
【手続補正３】
【補正対象書類名】明細書
【補正対象項目名】００６６
【補正方法】変更
【補正の内容】
【００６６】
【発明の効果】
本発明によれば、遊技盤に、１個又は複数個の図柄を表示する図柄表示手段と、遊技球を検出することを条件に図柄表示手段の図柄を所定時間変動させる図柄始動手段とを備え、図柄表示手段の変動後の停止図柄の結果により、遊技者に有利となる特別遊技状態を発生させる特別遊技制御手段と、動作状態の異常を検出する異常検出手段とを備えた弾球遊技機において、異常検出手段が異常を検出したときに、特別遊技制御手段が正常に動作中の場合に、該特別遊技制御手段の動作の終了を待ってその後に新たに動作しないように停止させる異常停止制御手段を備えているので、遊技中に異常が発生した場合にも遊技者の利益、心証等を著しく害することなく停止できる。
【手続補正書】
【提出日】平成18年3月6日(2006.3.6)
【手続補正１】
【補正対象書類名】明細書
【補正対象項目名】請求項４
【補正方法】変更
【補正の内容】
【請求項４】
還元剤が、還元型グルタチオン、システイン、γ−グルタミルシステイン、亜硫酸、アスコルビン酸、エリソルビン酸及びそれらの塩から選ばれる１種以上又はこれら還元剤の1種以上を含有する製剤であることを特徴とする請求項１記載の方法。
【手続補正２】
【補正対象書類名】明細書
【補正対象項目名】００３７
【補正方法】変更
【補正の内容】
【００３７】
本発明で使用される還元剤は、チオール系化合物、すなわち、グルタチオン、システイン、γ‐グルタミルシステイン、さらに、これらを高濃度で含む酵母エキス、ならびに食品添加物として使用が認められている亜硫酸、アスコルビン酸、エリソルビン酸及びそれらの塩が含まれる。これらを含有してなる製剤もこれに含まれる。なお、ここで使用される還元剤は、還元作用を有するものであれば、上記に示したものに限定されない。
【手続補正３】
【補正対象書類名】明細書
【補正対象項目名】００４０
【補正方法】変更
【補正の内容】
【００４０】
本発明に使用されるTGは、蛋白あるいはペプチド鎖中にあるグルタミン残基のγ−カルボキシアミド基中のアシル転移反応を触媒する酵素である。このTGがアシル受容体としてタンパク質中のリジン残基のε−アミノ基に作用すると、タンパク質分子中及び分子間においてε-(γ-グルタミル)-リジン結合が形成される。この架橋結合により、乳蛋白間に強固なネットワークが形成され、ゲル形成能や粘度が高く、かつ保水性の高い等の特性を持った、物性の改良された乳製品が製造できるのである。尚、本発明に使用される酵素であるTGは、トランスグルタミナーゼ活性を有するものであればいずれも使用することができ、既に公知のTGを使用すればよい。
【手続補正書】
【提出日】平成18年9月28日(2006.9.28)
【手続補正１】
【補正対象書類名】明細書
【補正対象項目名】特許請求の範囲
【補正方法】変更
【補正の内容】
【特許請求の範囲】    【請求項１】被写体の撮像方向が水平回転および垂直回転によって設定されるカメラ装置において、前記カメラ装置が固定される固定部に水平回転が可能な水平回転部を設け、該水平回転部の内部に前記被写体を撮像する撮像装置と、該撮像装置を垂直方向に垂直回転させる垂直回転機構とを収納し、前記水平回転部に前記撮像装置の撮像方向を確保する開口部を設け、前記固定部の内部に前記水平回転部を水平回転させる水平回転機構、該水平回転機構に駆動力を供給する水平回転駆動機構、および前記水平回転部の内部の前記垂直回転機構に駆動力を供給する垂直回転駆動機構とを収納したことを特徴とするカメラ装置。    【請求項２】請求項１記載の発明において、前記撮像装置と連動して垂直回転する照明灯を前記水平回転部の内部に収納し、前記照明灯の照明方向を確保する開口部を設けたことを特徴とするカメラ装置。    【請求項３】請求項１記載の発明において、前記水平回転部を水平回転させる前記水平回転機構に前記水平回転駆動機構から供給される駆動力を伝達する水平回転用シャフトと、前記撮像装置を垂直回転させる前記垂直回転機構に前記垂直回転駆動機構から供給される駆動力を伝達する垂直回転用シャフトとが前記固定部と前記水平回転部との間を貫通して配置したことを特徴とするカメラ装置。
【手続補正書】
【提出日】平成18年1月31日(2006.1.31)
【手続補正１】
【補正対象書類名】明細書
【補正対象項目名】００１９
【補正方法】変更
【補正の内容】
【００１９】
ところで、最近、スーパーセル９を用いて、出力解像度が低く且つスクリーン線数の多い出力条件を設定し、高階調からなる高精細な網点画像を出力することのできる技術が可能となってきている。この場合、出力解像度が低いために１つ１つのドットセル８で表現できる階調数は少なくなるが、複数のドットセル８を集合させ、且つ、その網点閾値データの配置を最適化することで多階調の画像を表現することができる。この方式では、例えば、従来、出力解像度２４００（ｄｐｉ：dot per inch）、スクリーン線数１７５（ｌｐｉ：line per inch）で出力していたものが、同等以上の画像品質を維持した状態で出力解像度１２００、スクリーン線数１７５での出力が可能となり、この結果、網点画像を高速に出力することができる。
【手続補正２】
【補正対象書類名】明細書
【補正対象項目名】００２１
【補正方法】変更
【補正の内容】
【００２１】
【発明が解決しようとする課題】
本発明は、前記の不具合に鑑みてなされたものであり、出力解像度が低く且つスクリーン線数の多い出力条件が設定される網点画像出力装置において、トーンジャンプの発生を回避できるとともに、モアレ縞を低視認化することのできる網点閾値データ作成方法を提供することを目的とする。
【手続補正３】
【補正対象書類名】明細書
【補正対象項目名】００４４
【補正方法】変更
【補正の内容】
【００４４】
図２では、同一の連続階調画像データを２値画像データに変換して得られる網点画像をハッチングで示している。この場合、網点画像の形状は、各ドットセル１１毎に異なるため、例えば、網点画像の網点面積率を徐々に高くし、５０％近傍となったときであっても、図３に示すように、各網点ドット６が同時に接することがない。従って、出力解像度が低く且つスクリーン線数が多い場合であっても、網点画像２２にトーンジャンプが発生するおそれがない。
【手続補正書】
【提出日】平成18年4月17日(2006.4.17)
【手続補正１】
【補正対象書類名】明細書
【補正対象項目名】請求項１０
【補正方法】変更
【補正の内容】
【請求項１０】  上記制御領域抽出手段は、入力した画像データにおいて所定以上の輝度を有し、かつ所定以下の彩度を有する領域は制御領域に属さないとする請求項９記載の画像処理装置。
【手続補正２】
【補正対象書類名】明細書
【補正対象項目名】請求項１２
【補正方法】変更
【補正の内容】
【請求項１２】  上記制御領域抽出手段は、入力した画像データがカラー画像の場合、所定以上の彩度成分を有しない領域は制御領域に属さないとする請求項９乃至１１記載の画像処理装置。
【手続補正書】
【提出日】平成18年7月28日(2006.7.28)
【手続補正１】
【補正対象書類名】特許請求の範囲
【補正対象項目名】全文
【補正方法】変更
【補正の内容】
【特許請求の範囲】
【請求項１】
被検眼の眼底にスポット光束を投影し、瞳孔と共役位置に設けたリング状開口を介して眼底からの反射光束を瞳孔周辺から取り出して受光素子で受光する測定光学系、又は瞳孔と共役位置に設けたリング状開口を介して瞳孔周辺から眼底に光束を投影し、眼底からの反射光束を瞳孔中心部から取り出して受光素子で受光する測定光学系を備え、前記受光素子の出力に基づいて被検眼の屈折力を測定する眼屈折力測定装置であって、前記リング状開口の瞳上でのサイズをその内径及び外径が共に異なる大小のサイズに可変する可変手段と、前記受光素子の受光結果に基づいて前記可変手段を制御する制御手段と、を設けたことを特徴とする眼屈折力測定装置。
【請求項２】
被検眼の眼底にスポット光束を投影し、瞳孔と共役位置に設けたリング状開口を介して眼底からの反射光束を瞳孔周辺から取り出して受光素子で受光する測定光学系、又は瞳孔と共役位置に設けたリング状開口を介して瞳孔周辺から眼底に光束を投影し、眼底からの反射光束を瞳孔中心部から取り出して受光素子で受光する測定光学系を備え、前記受光素子の出力に基づいて被検眼の屈折力を測定する眼屈折力測定装置であって、前記リング状開口の瞳上でのサイズをその内径及び外径が共に異なるサイズに可変する可変手段と、測定開始信号に連動して前記リング状開口の瞳上でのサイズを変えるように前記可変手段を制御する制御手段と、前記リング状開口の瞳上でのサイズの変化に同期して前記受光素子により得られたそれぞれの受光結果の少なくとも1つに基づいて被検眼の屈折力を求める屈折力算出手段と、を備えことを特徴とする眼屈折力測定装置。
【請求項３】
被検眼の眼底にスポット光束を投影し、瞳孔と共役位置に設けたリング状レンズを介して眼底からの反射光束を瞳孔周辺から取り出し、眼底と共役位置に設けられた受光素子で受光する測定光学系を備え、前記受光素子の出力に基づいて被検眼の眼屈折力を測定する眼屈折力測定装置であって、前記リング状レンズの瞳上でのサイズをその内径及び外径が共に異なるサイズに可変する可変手段を設けたことを特徴とする眼屈折力測定装置。
【手続補正２】
【補正対象書類名】明細書
【補正対象項目名】０００７
【補正方法】変更
【補正の内容】
【０００７】
（１）  被検眼の眼底にスポット光束を投影し、瞳孔と共役位置に設けたリング状開口を介して眼底からの反射光束を瞳孔周辺から取り出して受光素子で受光する測定光学系、又は瞳孔と共役位置に設けたリング状開口を介して瞳孔周辺から眼底に光束を投影し、眼底からの反射光束を瞳孔中心部から取り出して受光素子で受光する測定光学系を備え、前記受光素子の出力に基づいて被検眼の屈折力を測定する眼屈折力測定装置であって、前記リング状開口の瞳上でのサイズをその内径及び外径が共に異なる大小のサイズに可変する可変手段と、前記受光素子の受光結果に基づいて前記可変手段を制御する制御手段と、を設けたことを特徴とする。
（２）  被検眼の眼底にスポット光束を投影し、瞳孔と共役位置に設けたリング状開口を介して眼底からの反射光束を瞳孔周辺から取り出して受光素子で受光する測定光学系、又は瞳孔と共役位置に設けたリング状開口を介して瞳孔周辺から眼底に光束を投影し、眼底からの反射光束を瞳孔中心部から取り出して受光素子で受光する測定光学系を備え、前記受光素子の出力に基づいて被検眼の屈折力を測定する眼屈折力測定装置であって、前記リング状開口の瞳上でのサイズをその内径及び外径が共に異なるサイズに可変する可変手段と、測定開始信号に連動して前記リング状開口の瞳上でのサイズを変えるように前記可変手段を制御する制御手段と、前記リング状開口の瞳上でのサイズの変化に同期して前記受光素子により得られたそれぞれの受光結果の少なくとも1つに基づいて被検眼の屈折力を求める屈折力算出手段と、を備えことを特徴とする。
（３）  被検眼の眼底にスポット光束を投影し、瞳孔と共役位置に設けたリング状レンズを介して眼底からの反射光束を瞳孔周辺から取り出し、眼底と共役位置に設けられた受光素子で受光する測定光学系を備え、前記受光素子の出力に基づいて被検眼の眼屈折力を測定する眼屈折力測定装置であって、前記リング状レンズの瞳上でのサイズをその内径及び外径が共に異なるサイズに可変する可変手段を設けたことを特徴とする。
【手続補正書】
【提出日】平成18年10月5日(2006.10.5)
【手続補正１】
【補正対象書類名】特許請求の範囲
【補正対象項目名】全文
【補正方法】変更
【補正の内容】
【特許請求の範囲】
【請求項１】
導入された被検体内において所定の機能を実行する機能実行手段と、
前記被検体外からの無線信号を受信可能に構成された無線受信手段と、
前記無線受信手段によって受信された起動用信号の入力に応じて、前記機能実行手段の起動を制御する起動手段と、
を備えたことを特徴とする無線型被検体内情報取得装置。
【請求項２】
前記起動手段は、前記無線受信手段からの起動用信号の入力レベルに応じて、前記機能実行手段の起動を制御することを特徴とする請求項１に記載の無線型被検体内情報取得装置。
【請求項３】
前記起動手段は、前記無線受信手段からの起動開始指示を示す信号の入力に応じて、前記機能実行手段の起動を制御することを特徴とする請求項１または２に記載の無線型被検体内情報取得装置。
【請求項４】
前記起動手段は、前記起動用信号の入力から所定時間経過後に、前記機能実行手段を起動させることを特徴とする請求項１〜３のいずれか一つに記載の無線型被検体内情報取得装置。
【請求項５】
前記機能実行手段は、
被検体内の情報を取得する取得手段と、
前記取得手段が取得した前記被検体内の情報を外部に無線送信する無線送信手段と、
を少なくとも備えたことを特徴とする請求項１〜４のいずれか一つに記載の無線型被検体内情報取得装置。
【請求項６】
前記受信手段で受信した前記起動用信号から電力を生成する電力生成手段をさらに備え、
前記起動手段は、前記電力生成手段により生成された電圧が一定値以上になったときに前記機能実行手段の起動を制御することを特徴とする請求項１〜５のいずれか一つに記載の無線型被検体内情報取得装置。
【請求項７】
被検体内に導入される無線型被検体内情報取得装置と、前記被検体外に配置され、前記無線型被検体内情報取得装置で得られた情報を無線通信によって取得する通信装置とを有する無線型被検体内情報取得システムにおいて、
前記無線型被検体内情報取得装置は、
前記導入された被検体内において所定の機能を実行する機能実行手段と、
前記被検体外からの無線信号を受信可能に構成された無線受信手段と、
前記無線受信手段によって受信された起動用信号の入力に応じて、前記機能実行手段の起動を制御する起動手段と、
を備え、前記通信装置は、
前記無線通信された情報を受信する無線受信手段と、
前記起動用信号を無線送信する無線送信手段と、
を備えたことを特徴とする無線型被検体内情報取得システム。
【請求項８】
前記起動手段は、前記無線受信手段からの起動用信号の入力レベルに応じて、前記機能実行手段の起動を制御することを特徴とする請求項７に記載の無線型被検体内情報取得システム。
【請求項９】
前記起動手段は、前記無線受信手段からの起動開始指示を示す信号の入力に応じて、前記機能実行手段の起動を制御することを特徴とする請求項７に記載の無線型被検体内情報取得システム。
【請求項１０】
前記起動手段は、前記信号の入力から所定時間経過後に、前記機能実行手段を起動させることを特徴とする請求項７〜９のいずれか一つに記載の無線型被検体内情報取得システム。
【請求項１１】
前記受信手段で受信した前記起動用信号から電力を生成する電力生成手段をさらに備え、
前記起動手段は、前記電力生成手段により生成された電圧が一定値以上になったときに前記機能実行手段の起動を制御することを特徴とする請求項７〜１０のいずれか一つに記載の無線型被検体内情報取得システム。
【手続補正２】
【補正対象書類名】明細書
【補正対象項目名】００１５
【補正方法】変更
【補正の内容】
【００１５】
また、請求項５にかかる無線型被検体内情報取得装置は、上記の発明において、前記機能実行手段は、被検体内の情報を取得する取得手段と、前記取得手段が取得した前記被検体内の情報を外部に無線送信する無線送信手段と、を少なくとも備えたことを特徴とする。
また、請求項６にかかる無線型被検体内情報取得装置は、上記の発明において、前記受信手段で受信した前記起動用信号から電力を生成する電力生成手段をさらに備え、前記起動手段は、前記電力生成手段により生成された電圧が一定値以上になったときに前記機能実行手段の起動を制御することを特徴とする。
【手続補正３】
【補正対象書類名】明細書
【補正対象項目名】００１６
【補正方法】変更
【補正の内容】
【００１６】
また、請求項７にかかる無線型被検体内情報取得システムは、被検体内に導入される無線型被検体内情報取得装置と、前記被検体外に配置され、前記無線型被検体内情報取得装置で得られた情報を無線通信によって取得する通信装置とを有する無線型被検体内情報取得システムにおいて、前記無線型被検体内情報取得装置は、前記導入された被検体内において所定の機能を実行する機能実行手段と、前記被検体外からの無線信号を受信可能に構成された無線受信手段と、前記無線受信手段によって受信された起動用信号の入力に応じて、前記機能実行手段の起動を制御する起動手段と、を備え、前記通信装置は、前記無線通信された情報を受信する無線受信手段と、前記起動用信号を無線送信する無線送信手段と、を備えたことを特徴とする。
【手続補正４】
【補正対象書類名】明細書
【補正対象項目名】００１７
【補正方法】変更
【補正の内容】
【００１７】
また、請求項８にかかる無線型被検体内情報取得システムは、上記の発明において、前記起動手段は、前記無線受信手段からの起動用信号の入力レベルに応じて、前記機能実行手段の起動を制御することを特徴とする。
【手続補正５】
【補正対象書類名】明細書
【補正対象項目名】００１８
【補正方法】変更
【補正の内容】
【００１８】
また、請求項９にかかる無線型被検体内情報取得システムは、上記の発明において、前記起動手段は、前記無線受信手段からの起動開始指示を示す信号の入力に応じて、前記機能実行手段の起動を制御することを特徴とする。
【手続補正６】
【補正対象書類名】明細書
【補正対象項目名】００１９
【補正方法】変更
【補正の内容】
【００１９】
また、請求項１０にかかる無線型被検体内情報取得システムは、上記の発明において、前記起動手段は、前記信号の入力から所定時間経過後に、前記機能実行手段を起動させることを特徴とする。
また、請求項１１にかかる無線型被検体内情報取得システムは、上記の発明において、前記受信手段で受信した前記起動用信号から電力を生成する電力生成手段をさらに備え、前記起動手段は、前記電力生成手段により生成された電圧が一定値以上になったときに前記機能実行手段の起動を制御することを特徴とする。
【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
遊技盤に配設された電気的に動作する複数個の遊技部品と、前記遊技部品の動作を制御する制御手段と、遊技機の背面側で前記複数個の遊技部品に接続されているケーブル類を纏めた状態で前記制御手段にケーブル接続する中継手段とを備えた遊技機において、
前記中継手段の取り外し動作に連動して取り外しの痕跡を残すとともに、中継手段をもとの取付状態に戻せなくする痕跡部材を備えたことを特徴とする遊技機。
【請求項２】
請求項１に記載の遊技機において、
さらに、前記中継手段の一端辺側を保持する保持手段を備え、
前記痕跡部材は、前記保持手段により保持された前記中継手段の一端辺と対向する他端辺側を遊技盤に取り付けるのを許容するとともに、取り外し方向へは係止してその取り外しを規制する係止部材であり、
前記保持手段と前記係止部材とが協働して前記中継手段を前記遊技盤に固定保持することを特徴とする遊技機。
【請求項３】
請求項２に記載の遊技機において、
前記係止部材は、略「Ｌ」字状をしており、その短辺部分の先端側で前記中継手段を係止し、かつ、基端部から延伸する長辺部分を含む背面幅方向に切り欠き部が少なくとも１箇所形成されていることを特徴とする遊技機。
【請求項４】
請求項１に記載の遊技機において、
さらに、前記中継手段の一端辺側を保持する保持手段を備え、
前記痕跡部材は、前記中継手段の取り外しに連動して前記保持手段により保持された端辺側とは異なる端辺側の面に接触または非接触で近接して通過するように揺動する揺動部材と、
前記揺動部材の揺動を一方向に規制するラチェット機構と、
前記中継手段面を通過した前記揺動部材が所定の位置で停止するように規制する規制部材とから構成したことを特徴とする遊技機。
【請求項５】
請求項１に記載の遊技機において、
前記痕跡部材を中継手段に備え、
さらに、前記中継手段の取り外しに連動する連動手段を備え、
前記連動手段の連動により前記痕跡部材に中継手段の取り外しの痕跡を残すように構成したことを特徴とする遊技機。
【請求項６】
請求項５に記載の遊技機において、
前記痕跡手段は、シート状物であることを特徴とする遊技機。
【請求項７】
請求項５に記載の遊技機において、
前記痕跡手段は、前記遊技部品に接続されているケーブルであることを特徴とする遊技機。
【手続補正書】
【提出日】平成18年9月11日(2006.9.11)
【手続補正１】
【補正対象書類名】明細書
【補正対象項目名】発明の名称
【補正方法】変更
【補正の内容】
【発明の名称】半導体装置の作製方法
【手続補正２】
【補正対象書類名】特許請求の範囲
【補正対象項目名】全文
【補正方法】変更
【補正の内容】
【特許請求の範囲】
【請求項１】
基板上に薄膜トランジスタを形成し、
前記薄膜トランジスタ上に、第１の組成物を吐出して、前記第１の組成物が互いに接しない開口部が設けられた絶縁層を形成し、
第２の組成物を吐出して、前記絶縁層の開口部を介して、前記薄膜トランジスタのソース又はドレインの一方に接続された導電層を形成し、
前記絶縁層に、不活性元素を添加することを特徴とする半導体装置の作製方法。
【請求項２】
基板上に薄膜トランジスタを形成し、
前記薄膜トランジスタ上に、第１の組成物を吐出して、前記第１の組成物が互いに接しない開口部が設けられた絶縁層を形成し、
第２の組成物を吐出して、前記絶縁層の開口部を介して、前記薄膜トランジスタのソース又はドレインの一方に接続された導電層を形成し、
前記絶縁層に、不活性元素を添加し、
前記不活性元素は、ヘリウム、ネオン、アルゴン、クリプトン、キセノンから選択された一種又は複数種であることを特徴とする半導体装置の作製方法。
【請求項３】
基板上に薄膜トランジスタを形成し、
前記薄膜トランジスタ上に、第１の組成物を吐出して、前記第１の組成物が互いに接しない開口部が設けられた絶縁層を形成し、
第２の組成物を吐出して、前記絶縁層の開口部を介して、前記薄膜トランジスタのソース又はドレインの一方に接続された導電層を形成し、
前記絶縁層に、不活性元素を添加し、
前記不活性元素は、ヘリウム、ネオン、アルゴン、クリプトン、キセノンから選択された一種又は複数種であり、
前記第１の組成物と前記第２の組成物を選択的に吐出することにより、前記絶縁層と前記導電層を連続的に形成することを特徴とする半導体装置の作製方法。
【請求項４】
基板上に薄膜トランジスタを形成し、
前記薄膜トランジスタ上に、第１の組成物を吐出して、前記第１の組成物が互いに接しない開口部が設けられた絶縁層を形成し、
前記開口部の側面に、第２の組成物を吐出して、バリア層を形成し、
第３の組成物を吐出して、前記絶縁層の開口部を介して、前記薄膜トランジスタのソース又はドレインの一方に接続された導電層を形成することを特徴とする半導体装置の作製方法。
【請求項５】
基板上に薄膜トランジスタを形成し、
前記薄膜トランジスタ上に、第１の組成物を吐出して、前記第１の組成物が互いに接しない開口部が設けられた絶縁層を形成し、
前記開口部の側面に、第２の組成物を吐出して、バリア層を形成し、
第３の組成物を吐出して、前記絶縁層の開口部を介して、前記薄膜トランジスタのソース又はドレインの一方に接続された導電層を形成し、
前記第２の組成物として、分子内にフッ素原子を含有するモノマーを含む樹脂、又は炭素と水素原子のみから構成されるモノマーを含む樹脂を用いることを特徴とする半導体装置の作製方法。
【請求項６】
基板上に薄膜トランジスタを形成し、
前記薄膜トランジスタ上に、第１の組成物を吐出して、前記第１の組成物が互いに接しない開口部が設けられた絶縁層を形成し、
前記開口部の側面に、第２の組成物を吐出して、バリア層を形成し、
第３の組成物を吐出して、前記絶縁層の開口部を介して、前記薄膜トランジスタのソース又はドレインの一方に接続された導電層を形成し、
前記第２の組成物として、分子内にフッ素原子を含有するモノマーを含む樹脂、又は炭素と水素原子のみから構成されるモノマーを含む樹脂を用い、
前記第１の組成物、前記第２の組成物及び前記第３の組成物を選択的に吐出することにより、前記絶縁層、前記バリア層及び前記導電層を連続的に形成することを特徴とする半導体装置の作製方法。
【請求項７】
請求項１乃至請求項３のいずれか一項において、
前記不活性元素は、前記絶縁層に１×１０１９乃至５×１０２１ａｔｏｍｓ／ｃｍ３の濃度で含まれるように添加されることを特徴とする半導体装置の作製方法。
【請求項８】
請求項１乃至請求項７のいずれか一項において、
前記絶縁層は、有機材料又は珪素と酸素との結合で骨格構造が形成された材料で作製することを特徴とする半導体装置の作製方法。
【請求項９】
請求項１乃至請求項８のいずれか一項において、
前記絶縁層は、１００ｎｍ乃至２μｍの厚さで作製することを特徴とする半導体装置の作製方法。
【請求項１０】
請求項１乃至請求項９のいずれか一項において、
前記開口部の側面は、テーパー形状に作製することを特徴とする半導体装置の作製方法。
【請求項１１】
請求項１乃至請求項１０のいずれか一項において、
前記開口部の側面は、３０度以上７５度未満のテーパー形状に作製することを特徴とする半導体装置の作製方法。
【手続補正書】
【提出日】平成18年8月14日(2006.8.14)
【手続補正１】
【補正対象書類名】特許請求の範囲
【補正対象項目名】全文
【補正方法】変更
【補正の内容】
【特許請求の範囲】
【請求項１】
基板上に液状体を配置する第１工程と、
前記第１工程のあと、前記液状体に気液界面吸着剤を吸着させ、前記液状体の少なくとも一部に被膜を形成する第２工程と、
前記第２工程のあと、前記液状体を乾燥させ、機能性膜を形成する第３工程と、を含む、膜形成方法。
【請求項２】
基板上に液状体を塗布する第１工程と、
前記第１工程のあと、前記液状体に気液界面吸着剤を噴霧する第２工程と、
前記第２工程のあと、前記液状体を乾燥させ、機能性膜を形成する第３工程と、を含む、膜形成方法。
【請求項３】
請求項１または２において、
前記液状体が前記気液界面吸着剤より沸点または粘度が低い、膜形成方法。
【請求項４】
請求項１ないし３のいずれかにおいて、
前記気液界面吸着剤の濃度が、前記液状体に対して、約１．０×１０−７ｗｔ％以上、約０．１ｗｔ％以下である、膜形成方法。
【請求項５】
請求項１ないし４のいずれかにおいて、
前記第３工程が前記液状体から前記液状体に含まれる機能性物質を前記基板上に均等に析出させるものである、膜形成方法。
【請求項６】
請求項１ないし５のいずれかにおいて、
前記気液界面活性剤が前記液状体に対して表面配向性を持つものである、膜形成方法。
【請求項７】
請求項１ないし６のいずれかにおいて、
前記気液界面吸着剤がシリコーンオイルである、膜形成方法。
【請求項８】
請求項１ないし７のいずれかに記載の膜形成方法を用いる、電気光学装置の製造方法。
【手続補正２】
【補正対象書類名】明細書
【補正対象項目名】発明の名称
【補正方法】変更
【補正の内容】
【発明の名称】膜形成方法、及び電気光学装置の製造方法
【手続補正３】
【補正対象書類名】明細書
【補正対象項目名】０００１
【補正方法】変更
【補正の内容】
【０００１】
本発明は、膜形成方法、及び電気光学装置の製造方法に関するものである。
【手続補正４】
【補正対象書類名】明細書
【補正対象項目名】０００８
【補正方法】変更
【補正の内容】
【０００８】
上記目的を達成するため、本発明の膜形成方法は、基板上に液状体を配置する第１工程と、前記第１工程のあと、前記液状体に気液界面吸着剤を吸着させ、前記液状体の少なくとも一部に被膜を形成する第２工程と、前記第２工程のあと、前記液状体を乾燥させ、機能性膜を形成する第３工程と、を含む。
この構成によれば、塗布された液状体の表面に気液界面吸着剤の被膜が形成されるので、液状体の乾燥条件を制御することが可能になり、所望の膜を形成することができる。
【手続補正５】
【補正対象書類名】明細書
【補正対象項目名】０００９
【補正方法】変更
【補正の内容】
【０００９】
また、基板上に液状体を塗布する第１工程と、前記第１工程のあと、前記液状体に気液界面吸着剤を噴霧する第２工程と、前記第２工程のあと、前記液状体を乾燥させ、機能性膜を形成する第３工程と、を含む。
この構成によっても、塗布された液状体の表面に気液界面吸着剤の被膜を形成することができる。これにより、液状体の乾燥条件を制御することが可能になり、所望の膜を形成することができる。
【手続補正６】
【補正対象書類名】明細書
【補正対象項目名】００１０
【補正方法】変更
【補正の内容】
【００１０】
また、前記液状体が前記気液界面吸着剤より沸点または粘度が低くてもよい。
これにより、塗布された液状体の表面に、高沸点の気液界面吸着剤の被膜が形成されるので、低沸点の溶媒または分散媒が蒸発することによる液状体の乾燥速度を低下させることができる。したがって、液状体の乾燥条件を制御することが可能になり、所望の膜を形成することができる。また、液状体を安定吐出することができる。
【手続補正７】
【補正対象書類名】明細書
【補正対象項目名】００１１
【補正方法】変更
【補正の内容】
【００１１】
また、前記気液界面吸着剤の濃度が、前記液状体に対して、約１．０×１０−７ｗｔ％以上、約０．１ｗｔ％以下であることが望ましい。
この構成によれば、成膜後に残留する気液界面吸着剤が、膜の性質に及ぼす影響は少ない。
【手続補正８】
【補正対象書類名】明細書
【補正対象項目名】００１２
【補正方法】変更
【補正の内容】
【００１２】
また、前記第３工程が前記液状体から前記液状体に含まれる機能性物質を前記基板上に均等に析出させるものであることが望ましい。
この構成によれば、機能性膜を一様に形成することができる。
【手続補正９】
【補正対象書類名】明細書
【補正対象項目名】００１３
【補正方法】変更
【補正の内容】
【００１３】
また、前記気液界面活性剤が前記液状体に対して表面配向性を持つものであることが望ましい。
この構成によれば、塗布された液状体の表面に気液界面吸着剤の被膜を形成することができる。
【手続補正１０】
【補正対象書類名】明細書
【補正対象項目名】００１４
【補正方法】変更
【補正の内容】
【００１４】
また、前記気液界面吸着剤がシリコーンオイルであることが望ましい。
この構成によれば、塗布された液状体の表面に、高沸点のシリコーンオイルの被膜を形成することができる。これにより、液状体の溶媒または分散媒が低沸点の場合でも、液状体の乾燥条件を制御することが可能になり、所望の膜を形成することができる。
【手続補正１１】
【補正対象書類名】明細書
【補正対象項目名】００１５
【補正方法】変更
【補正の内容】
【００１５】
一方、本発明の電気光学装置の製造方法は、上述した膜形成方法を用いることを特徴とする。
この構成によれば、塗布された液状体の表面に、気液界面吸着剤の被膜が形成されるので、液状体の乾燥条件を制御することが可能になり、所望の機能性膜を備えた電気光学装置を製造することができる。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正書】
【提出日】平成18年9月25日(2006.9.25)
【手続補正１】
【補正対象書類名】特許請求の範囲
【補正対象項目名】請求項１
【補正方法】変更
【補正の内容】
【請求項１】
記録媒体に対しインクを吐出する吐出口が設けられた記録ヘッドと、前記記録ヘッドに供給される前記インクを貯留するインクタンクと、を備えるインクジェットプリンタにおいて、
前記インクタンクに貯留された前記インクを循環させる、両端が前記インクタンクに連通する循環流路管を含む循環流路と、前記循環流路中に設けられ、前記インクを濾過するフィルタと、前記インクを前記循環流路内に循環させるための循環ポンプと、を備えたことを特徴とするインクジェットプリンタ。
【手続補正２】
【補正対象書類名】明細書
【補正対象項目名】０００７
【補正方法】変更
【補正の内容】
【０００７】
上述の問題を解決するために、請求項１に記載の発明においては、記録媒体に対しインクを吐出する吐出口が設けられた記録ヘッドと、前記記録ヘッドに供給される前記インクを貯留するインクタンクと、を備えるインクジェットプリンタにおいて、
前記インクタンクに貯留された前記インクを循環させる、両端が前記インクタンクに連通する循環流路管を含む循環流路と、前記循環流路中に設けられ、前記インクを濾過するフィルタと、前記インクを前記循環流路内に循環させるための循環ポンプと、を備えたことを特徴としている。